(57)【要約】【課題】  使用時に柄の持ち替えが可能で、それにより容易にまつ毛をカールすることができ、且つコンパクトで携帯しやすいピンセット型マスカラブラシを提供すること。【解決手段】  ２つの柄３，４の一方の柄３の自由端に、マスカラを塗布するブラシ部５が設けられ、他方の柄４の自由端に、双方の柄が閉じられたとき前記ブラシ部３と協働してまつ毛を挟む押さえ部６が設けられたピンセット型マスカラブラシであり、柄３に摺動可能に取り付けられた摺動部材７が、双方の柄３，４に圧接して柄を閉じた状態に維持可能であり、その閉じた状態で摺動部材７を摺動させているときに、柄３，４が、摺動部材７の圧接力から一気に解放される手段を備えている。【選択図】  図１
2018068581.tif 000002
【特許請求の範囲】
【請求項１】
２つの柄の一方の柄の自由端に、マスカラを塗布するブラシ部が設けられ、他方の柄の自由端に、双方の柄が閉じられたとき前記ブラシ部と協働してまつ毛を挟む押さえ部が設けられたピンセット型マスカラブラシであって、柄に摺動可能に取り付けられた摺動部材が、双方の柄に圧接して柄を閉じた状態に維持可能であり、その閉じた状態で摺動部材を摺動させているときに、柄が、摺動部材の圧接力から一気に解放される手段を備えていることを特徴とするマスカラブラシ。
【請求項２】
柄が、摺動部材の圧接力から一気に解放される手段には、柄本来の機能に関係しない部品及び柄の内側の面から立ち上がる突出部分が、他方の柄に含まれていない請求項１記載のマスカラブラシ。
【請求項３】
摺動部材は、一方の柄に摺動可能に取り付けられ、その摺動部材の両側には、それぞれ他方の柄の方向に延び、他方の柄の側面に外接可能な一対の側面部が設けられ、少なくとも一方の側面部に内向きの係止突部が設けられ、その係止突部が他方の柄に係止することにより柄を閉じた状態に維持可能であり、さらに、その閉じた状態で摺動部材を摺動させているときに、その係止の状態が解除され、柄が、摺動部材の圧接力から一気に解放される手段が設けられている請求項１又は請求項２記載のマスカラブラシ。
【請求項４】
摺動部材は、一方の柄に摺動可能に取り付けられ、その摺動部材の一方の側には、他方の柄の方向に延び、他方の柄の側面に外接可能な側面部が設けられ、その側面部に内向きの係止突部が設けられ、その係止突部が他方の柄に係止することにより柄を閉じた状態に維持可能であり、さらに、その閉じた状態で摺動部材を摺動させているときに、その係止の状態が解除され、柄が、摺動部材の圧接力から一気に解放される手段が設けられている請求項１又は請求項２記載のマスカラブラシ。
【請求項５】
他方の柄の側部に、前記係止突部が係止する係止部と、その係止突部の係止が解除される非係止部とが存在し、係止部は、非係止部よりも側方に張り出している請求項３又は請求項４記載のマスカラブラシ。
【請求項６】
他方の柄の側部に切欠き部が設けられ、この切欠き部が非係止部であり、その非係止部の前側に隣接する部分が係止部である請求項５記載のマスカラブラシ。
【請求項７】
開いている柄を手で閉じるときに、柄同士の接近を途中で規制するための手段が、柄と摺動部材との間に設けられている請求項５又は請求項６記載のマスカラブラシ。
【請求項８】
柄同士の接近が規制された位置で、係止突部が他方の柄に干渉されずに摺動部材が摺動可能となる請求項７記載のマスカラブラシ。
【発明の詳細な説明】
【技術分野】
【０００１】
本発明は、主に女性がマスカラをまつ毛に塗るために使用するマスカラブラシに関する。
【背景技術】
【０００２】
マスカラをまつ毛に塗るときに、まつ毛を挟みながら使用するピンセット型のマスカラブラシが、従来から存在している（例えば特許文献1）。特許文献１に記載されたマスカラブラシは、ピンセットの柄を手で閉じながらマスカラを塗布するものである。その場合、まつ毛をその根元から先端にかけて少しずつカールさせることが行われる。まつ毛をカールさせるためには、下側のブラシがマスカラブラシの軸線を中心に回転しながら上方に移動するように、マスカラブラシを回転させる必要がある。このとき、手で柄を閉じているので、マスカラブラシを持ち替えることができない。そのため、マスカラブラシを持った手を捩じりながらマスカラブラシを回転させる必要があるが、この動作は手に負担がかかり十分に回転させることができない。そこで、柄を閉じた状態に維持することができれば、マスカラブラシを持ち替えることができるから、マスカラブラシを容易に回転させることができる。
【０００３】
柄を閉じた状態に維持するために、例えば特許文献２のように、柄にスリーブ状の摺動部材を取り付け、この摺動部材を摺動させることによって、柄を閉じた状態に維持するピンセット型はさみ具が提案されている。しかし、この挟み具は、摺動部材の移動に対する柄の開閉量が少ないので、柄の開き度を大きくしようとすれば、柄の長さを大きくしなければならず、携帯する場合の多いマスカラブラシに使用することができない構成である。柄の開き度が狭いときは、ブラシでまつ毛を挟むときに、ブラシや押さえ部が不意にまつ毛に触れてしまうので、開き度を大きくする必要があるのである。
【０００４】
柄の開き度を大きくするためには、柄を閉じた状態において摺動部材を摺動させたときに、摺動部材の柄に対する圧接力を一気に解放させれば、摺動部材をそれ以上移動させなくても柄が解放され柄の開き度を大きくすることができる。このような構成は、例えば特許文献３に記載されている。この文献における摺動部材は、片方の柄に摺動可能に取り付けられているものであって、その摺動部材が双方の柄に外側から圧接して柄を閉じた状態に維持するものではない。他方の柄の内側の面に、柄本来の機能に関係しない突出部分である突起を立ち上げて、その突起に摺動部材の一部を係止させる構成である。他方の柄の内側の面に突起を一体に立ち上げることは、特に柄を金属で形成したときにコストがかかる。また、突起に係止用の溝を設けなければならず、突起を太くせざるを得ないので、必然的にその突起を通す孔部の径も大きくなり、柄が幅広になって携帯に不向きなものとなる。
【先行技術文献】
【特許文献】
【０００５】
【特許文献１】特開２０１０−９９１４１号公報
【特許文献２】実開昭５７−１４０９６８号公報
【特許文献３】特開２００７−３３１０８２号公報
【発明の概要】
【発明が解決しようとする課題】
【０００６】
本発明は、使用時に柄の持ち替えが可能で、且つコンパクトで携帯しやすいピンセット型マスカラブラシを提供することを目的とするものである。
【課題を解決するための手段】
【０００７】
請求項１記載の発明は、２つの柄の一方の柄の自由端に、マスカラを塗布するブラシ部が設けられ、他方の柄の自由端に、双方の柄が閉じられたとき前記ブラシ部と協働してまつ毛を挟む押さえ部が設けられたピンセット型マスカラブラシであって、柄に摺動可能に取り付けられた摺動部材が、双方の柄に圧接して柄を閉じた状態に維持可能であり、その閉じた状態で摺動部材を摺動させているときに、柄が、摺動部材の圧接力から一気に解放される手段を備えている構成である。
【０００８】
請求項２記載の発明は、柄が、摺動部材の圧接力から一気に解放される手段には、柄本来の機能に関係しない部品及び柄の内側の面から立ち上がる突出部分が、他方の柄に含まれていない構成である。
【０００９】
請求項３記載の発明は、摺動部材が、一方の柄に摺動可能に取り付けられ、その摺動部材の両側には、それぞれ他方の柄の方向に延び、他方の柄の側面に外接可能な一対の側面部が設けられ、少なくとも一方の側面部に内向きの係止突部が設けられ、その係止突部が他方の柄に係止することにより柄を閉じた状態に維持可能であり、さらに、その閉じた状態で摺動部材を摺動させているときに、その係止の状態が解除され、柄が、摺動部材の圧接力から一気に解放される手段が設けられている構成である。
【００１０】
請求項４記載の発明は、摺動部材が、一方の柄に摺動可能に取り付けられ、その摺動部材の一方の側には、他方の柄の方向に延び、他方の柄の側面に外接可能な側面部が設けられ、その側面部に内向きの係止突部が設けられ、その係止突部が他方の柄に係止することにより柄を閉じた状態に維持可能であり、さらに、その閉じた状態で摺動部材を摺動させているときに、その係止の状態が解除され、柄が、摺動部材の圧接力から一気に解放される手段が設けられている構成である。
【００１１】
請求項５記載の発明は、他方の柄の側部に、前記係止突部が係止する係止部と、その係止突部の係止が解除される非係止部とが存在し、係止部は、非係止部よりも側方に張り出している構成である。
【００１２】
請求項６記載の発明は、他方の柄の側部に切欠き部が設けられ、この切欠き部が非係止部であり、その非係止部の前側に隣接する部分が係止部である構成である。
【００１３】
請求項７記載の発明は、開いている柄を手で閉じるときに、柄同士の接近を途中で規制するための手段が、柄と摺動部材との間に設けられている構成である。
【００１４】
請求項８記載の発明は、柄同士の接近が規制された位置で、係止突部が他方の柄に干渉されずに摺動部材が摺動可能となる構成である。
【発明の効果】
【００１５】
請求項１記載の発明は、柄に摺動可能に取り付けられた摺動部材が、双方の柄に圧接して柄を閉じた状態に維持可能であり、その閉じた状態で摺動部材を摺動させているときに、柄が、摺動部材の圧接力から一気に解放される手段を備えている。従来の、柄を閉じた状態で摺動部材を摺動させることにより、柄に対する圧接力を一気に解放させる手段は、一方の柄に取り付けられた摺動部材の一部が、他方の柄の内面から突出するように設けられた係止部に係止することにより、柄を閉じる構成である。したがって、他方の柄の構造が複雑となり、コストが上昇する。これに対して、本発明は、摺動部材が双方の柄に外側から圧接する構成であって、一方の柄の内面に突起部分を設けなくても柄を閉じることができるので、構造が簡単であり、コストを低くすることができる。また、柄が、摺動部材の圧接力から一気に、すなわちほとんど瞬間的に解放される手段を備えているので、それ以上、摺動部材を摺動させなくても、その位置で柄が開くから、柄の長さを短くすることができる。また、一気に解放とは、摺動部材を急激に移動させることによって一気に解放されるということではなく、摺動部材の速度のいかんにかかわらず一気に解放されるということである。
【００１６】
請求項２記載の発明は、柄が、摺動部材の圧接力から一気に解放される手段には、柄本来の機能に関係しない部品及び柄の内側の面から立ち上がる突出部分が、他方の柄に含まれていない。例えば、特許文献３の柄に設けられた突起は、柄本来の機能に関係しない突出部分であり、このようなものが含まれていなければ、構造が簡単でコストを低くすることが可能であり、軽量化を図ることができる。
【００１７】
請求項３記載の発明は、一方の柄に摺動可能に取り付けられた摺動部材の両側には、それぞれ他方の柄の方向に延び、他方の柄の側面に外接可能な一対の側面部が設けられ、少なくとも一方の側面部に内向きの係止突部が設けられ、その係止突部が他方の柄に係止することにより柄を閉じた状態に維持可能であり、さらに、その閉じた状態で摺動部材を摺動させているときに、その係止の状態が解除され、柄が、摺動部材の圧接力から一気に解放される手段が設けられている。したがって、柄を閉じた状態に維持するために、他方の柄の側面に外接された側面部の内向き係止突部を他方の柄に係止するだけであるから、柄そのものに直接係止させることにより、他方の柄に係止突部を係止させるための特別の構造を不要とすることが可能であり、コストの軽減と軽量化を図ることができる。
【００１８】
請求項４記載の発明は、一方の柄に摺動可能に取り付けられた摺動部材の一方の側には、他方の柄の方向に延び、他方の柄の側面に外接可能な側面部が設けられ、その側面部に内向きの係止突部が設けられ、その係止突部が他方の柄に係止することにより柄を閉じた状態に維持可能であり、さらに、その閉じた状態で摺動部材を摺動させているときに、その係止の状態が解除され、柄が、摺動部材の圧接力から一気に解放される手段が設けられている。したがって、前記請求項３記載の発明と同様に、柄を閉じた状態に維持するために、他方の柄の側面に外接された側面部の内向き係止突部を他方の柄に係止するだけであるから、柄そのものに直接係止させることにより、他方の柄に係止突部を係止させるための特別の構造を不要とすることが可能であり、コストの軽減と軽量化を図ることができる。
【００１９】
請求項５記載の発明は、他方の柄の側部に、前記係止突部が係止する係止部と、その係止突部の係止が解除される非係止部とが存在し、係止部は、非係止部よりも側方に張り出している。すなわち、柄の側部に、張り出した部分と、それよりも引っ込んでいる部分を形成するだけで係止部と非係止部を設けることができるので、構造を簡単なものとすることができる。また、この係止部と非係止部とにより、摺動部材の係止突部が係止部から非係止部まで移動したときに、係止突部と他方の柄との係止が解除され、柄が、摺動部材の圧接力から一気に解放される。
【００２０】
請求項６記載の発明は、他方の柄の側部に切欠き部が設けられ、この切欠き部が非係止部であり、その非係止部の前側に隣接する部分が係止部である。したがって、他方の柄に設けられた構成は切欠き部のみであるから、他方の柄には柄本来の機能に関係しない部品及び柄の内側の面から立ち上がる突出部分が含まれておらず、コストの軽減と軽量化を図ることができる。
【００２１】
請求項７記載の発明は、開いている柄を手で閉じるときに、柄同士の接近を途中で規制するための手段が、柄と摺動部材との間に設けられている。したがって、ブラシ部と押さえ部のはさみ力が必要以上に大きくなって、ブラシ部のブラシ毛をつぶしてしまうことを防止することができる。
【００２２】
請求項８記載の発明は、柄同士の接近が規制された位置で、係止突部が他方の柄に干渉されずに摺動部材が摺動可能となる。したがって、手で柄の閉じ具合を調節することなく、柄の接近が規制される位置まで柄を閉じれば、自動的に、摺動部材が摺動可能となる閉じ具合を得ることができる。
【図面の簡単な説明】
【００２３】
【図１】本発明の柄を開いた状態の正面図である。
【図２】本発明の柄を開いた状態の平面図である。
【図３】本発明の柄を開いた状態の底面図である。
【図４】本発明の柄を閉じた状態の正面図である。
【図５】（ａ）は柄を開いた状態の本発明の主要部分の斜視図であり、（ｂ）は柄を閉じた状態の本発明の主要部分の斜視図である。
【図６】（ａ）は拡大した摺動部材の平面図であり、（ｂ）は拡大した摺動部材の正面図である。
【図７】（ａ）は図６（ｂ）のＡ−Ａ断面図であり、（ｂ）はＢ−Ｂ断面図である。
【発明を実施するための形態】
【００２４】
次に、本発明の実施例について図面を参照しながら説明する。マスカラブラシ１は、把持部２から一対の柄３，４が延びるピンセット型をなす。なお、ピンセット型とは、基部から延びる２つの柄が、弾性力によって開閉する形式のものであり、双方の柄が一体に形成されたもののほか、別体に形成して基部で結合されたものも含むものである。一方の柄３の前側端部にマスカラを塗布するためのブラシ部５が設けられ、他方の柄４の前側端部に押さえ部６が設けられている。押さえ部６は、ブラシ部５と協働してまつ毛を挟み、まつ毛を整えると共に、まつ毛に付いたマスカラのだまを除去する作用をなす。なお、柄３，４は、一体に形成されたものでもよく、別体に形成して、後端部で連結されたものでもよい。把持部２は合成樹脂製であり、柄３，４は金属製であるが、これらの材料に限定されないことは勿論である。例えば、柄３，４を合成樹脂製にしてもよい。また、押さえ部６の内側面にブラシ毛が設けられているが、ブラシ毛を設けなくてもよいし、ブラシ部５と同様に全体に設けてもよい。
【００２５】
一方の柄３には、摺動部材７が摺動可能に取り付けられている。図７（ａ）、（ｂ）に示すように、摺動部材７は、底面部８とその両側から立ち上がる一対の側面部９，９を有する。双方の側面部９，９の上端部に内向きの係止突部１０,１０が設けられている。図６（ａ）に示すように、この係止突部１０，１０は、摺動部材７の前側端部から中央近くまで延在している。さらに、双方の側面部９，９の内面の中間に、仕切り突部１１，１１が摺動部材７の全長に亘って設けられている。この仕切り突部１１，１１によって、摺動部材７の内部は上下２つの空間に仕切られる。下側の空間は、柄３を嵌挿する嵌挿部１２であって、その上下幅は柄３の厚みよりもわずかに厚く形成され、横幅は柄３の横幅よりもわずかに長く形成され、摺動部材７が柄３上を摺動するときにガタつかないように形成されている。上側の空間は、他方の柄４の没入を許容する没入空間１３であって、柄４をその没入空間１３に没入させることにより、摺動部材７を摺動させることができる。なお、底面部８の表面は滑り止めの凹凸を有する指当て部１５に形成されている。摺動部材７は合成樹脂で一体に成形されたものであるが、材料は合成樹脂に限定されるものではなく、一体に成形せず、複数の部品を結合したものであってもよい。
【００２６】
他方の柄４には、その両側部に、柄４の長手方向に延びる切欠き部１４，１４が設けられている。切欠き部１４，１４の長さは、前述した摺動部材７の係止突部１０，１０の同じ方向の長さよりも長い。この切欠き部１４，１４は、摺動部材７の柄３，４に対する圧接力を一気に解放させる手段の一つとして設けられた構成であるが、柄が、摺動部材の圧接力から一気に解放される手段として、柄４に柄本来の機能に関係しない部品及び柄の内側の面から立ち上がる突出部分を足したものではない。すなわち、切欠き部１４，１４は、柄４の一部を切除して形成されたものであり、部品でもなく柄の内側の面から立ち上がる突出部分でもない。
【００２７】
次に、本発明の柄３，４が、図１に示すように開いた状態から、図４に示す閉じた状態にするための操作について説明する。まず、把持部２を握り、親指を摺動部材７の指当て部１５に宛がい、人差し指を他方の柄４の表面であって、切欠き部１４よりも前方の表面に宛がう。次に、親指と人差し指で、双方の柄３，４が互いに近づく方向に柄を圧接する。そうすると、摺動部材７の係止突部１０，１０が、他方の柄４に設けられている切欠き部１４，１４を通過して、他方の柄４は摺動部材７の没入空間１３に没入する。そのとき、没入した柄４の切欠き部１４，１４よりも後方の両側部が、図７に表われている仕切り突部１１，１１に係止されるので、柄３，４の接近が規制される。この規制によって、ブラシ部５と押さえ部６のはさみ力が必要以上に大きくなって、ブラシ部５のブラシ毛をつぶしてしまうことを防止できる。そして、その状態で摺動部材７を前方に摺動させると、柄４の切欠き部１４，１４は没入空間１３に没入しているから、その切欠き部１４，１４に干渉されることなく、摺動部材７を前方に摺動させることができる。そして、摺動部材７が前側のストッパー１６に当たったときに指を離せば、他方の柄４の両側部が摺動部材７の係止突部１０，１０に係止し、摺動部材７が双方の柄３，４を上下から圧接し、柄３，４を閉じた状態に維持することができる。
【００２８】
次に、柄３，４が、図４に示すように閉じた状態から、図１に示す開いた状態にするための操作について説明する。この場合は、一方の手で把持部２を握り、
手の指先を摺動部材７に掛けて、そのまま摺動部材７が後ろ側のストッパー１７に当たるまで後方に摺動させる。そうすると、図２に示すように、摺動部材７の係止突部１０，１０が、柄４の切欠き部１４，１４まで移動するので、係止突部１０，１０による係止の状態が解除され、柄３，４が、摺動部材７の圧接力から一気に解放されて、図１に示すように柄３，４が開く。なお、切欠き部１４，１４については、このような切欠き部とせず、切欠きが、他方の柄４の後部まで続いて、柄４の側部に段差が設けられた構成にしてもよい。なお、符号１８は金属製の板ばねであって、弾性力を補強するものである。また、柄３，４を合成樹脂製としたときに、弾性力が使用と共に弱化することを補強することもできる。板ばね１８に代えてコイルばねとしてもよい。
【産業上の利用可能性】
【００２９】
使用時に柄の持ち替えが可能で、それにより容易にまつ毛をカールすることができ、且つコンパクトで携帯しやすいピンセット型マスカラブラシとすることができる。
【符号の説明】
【００３０】
１  マスカラブラシ、    ２  把持部、    ３  一方の柄、    ４  他方の柄、    ５  ブラシ部、    ６  押さえ部、    ７  摺動部材、    ８  底面部、    ９  側面部、    １０  係止突部、    １１  仕切り突部、    １２  嵌挿部、    １３  没入空間、    １４  切欠き部、    １５  指当て部、    １６  前側のストッパー、    １７  後ろ側のストッパー、    １８  板ばね
【図１】
2018068581.tif 000003
【図２】
2018068581.tif 000004
【図３】
2018068581.tif 000005
【図４】
2018068581.tif 000006
【図５】
2018068581.tif 000007
【図６】
2018068581.tif 000008
【図７】
2018068581.tif 000009